(57)【特許請求の範囲】
【請求項１】
施錠装置の近傍に設けられ、その施錠装置の施解錠状態を検出する検出手段と、同施錠装置が施錠状態にあるときに作動してその施錠状態にある旨を点灯により表示する表示手段と、周辺の光度を検知する光検知手段と、屋内外における周辺の所定領域内の人の存在有無を検知する人検知手段と、前記施錠装置が施錠状態にあり、且つ前記光検知手段からの検知信号に基づき、周辺の光度が所定の光度以下であり、且つ前記人検知手段からの検知信号に基づき、前記所定領域内に人が存在しているときに前記表示手段を作動させる作動制御手段とを備えることを特徴とする施解錠検出装置。
【請求項２】
施錠装置の近傍に設けられ、その施錠装置の施解錠状態を検出する検出手段と、同施錠装置が施錠状態にあるときに作動してその施錠状態にある旨を点灯により表示する表示手段と、屋内外における周辺の所定領域内の人の存在有無を検知する人検知手段と、前記施錠装置が施錠状態にあり、且つ予め設定された開始時刻から終了時刻までの間にあり、且つ前記人検知手段からの検知信号に基づき、前記所定領域内に人が存在しているときに前記表示手段を作動させる作動制御手段とを備えることを特徴とする施解錠検出装置。
【発明の詳細な説明】
【０００１】
【発明の属する技術分野】
本発明は、例えば車両ドアや建物用窓などに設けられた施錠装置の施解錠状態を検出する施解錠検出装置に関するものである。
【０００２】
【従来の技術】
従来、例えば特開平９−１５８５６０号公報や特開平９−１８４３３２号公報に示されるように、住宅の窓などに設けられたクレセント錠の施解錠状態を検出し、その施解錠状態を監視する施解錠状態監視装置が提案されている。
【０００３】
この種の施解錠状態監視装置は、クレセント錠の近傍に配設された施解錠検出装置と、同施解錠検出装置からの出力信号に基づいて同クレセント錠の施解錠状態を監視するモニタ装置とによって構成されている。
【０００４】
クレセント錠の操作レバー内には磁石が設けられており、施解錠検出装置においてクレセント錠の施錠状態における磁石の位置と対面する箇所には、１つのリードスイッチが設けられている。このため、リードスイッチは、クレセント錠が施錠状態のときにＯＮ状態となる。そして、施解錠検出装置は、このリードスイッチの動作状態を無線信号として出力するようになっている。
【０００５】
また、モニタ装置には、施解錠検出装置からの無線信号に基づいてクレセント錠の施解錠状態を表示する表示部が設けられている。こうした表示部は複数個設けられており、複数のクレセント錠の施解錠状態をそれぞれ表示するようになっている。このため、モニタ装置を見るだけで各クレセント錠の施解錠状態を確認することができる。よって、クレセント錠の施解錠状態を容易に確認することができる。
【０００６】
さらに、モニタ装置には、監視モードと警戒モードとが設定されている。監視モードにおいてモニタ装置は、クレセント錠の施解錠状態を表示する。そして、警戒モードにおいてモニタ装置は、施解錠検出装置のリードスイッチの動作状態が変化したときに警報を発するようになっている。すなわち、モニタ装置は、警戒モードにおいてクレセント錠が施解錠されたときには警報を発するようになっている。このため、夜間や外出時にモニタ装置を警戒モードに設定しておくことにより、防犯性を向上させることができる。
【０００７】
また、従来の施解錠状態監視装置には、施解錠検出装置に表示器が設けられ、クレセント錠が施錠状態にあるときに同表示器が点灯するようになっている。このため、家人は、例えば夜間等においても、表示器の点灯・非点灯によってクレセント錠の施解錠状態を容易に認識可能となる。
【０００８】
【発明が解決しようとする課題】
ところが、こうした施解錠状態監視装置では、クレセント錠が施錠状態にあるときには、常に表示器が点灯するため、施解錠検出装置の電力消費量が増加してしまう。通常、施解錠検出装置は内蔵されたバッテリを電源として作動するため、こうした電力消費量の増加に起因して、バッテリの寿命が短くなってしまうという不都合が生じる。
【０００９】
本発明はこうした実情に鑑みてなされたものであり、その目的は、施錠装置の施解錠状態を容易かつ確実に認識することができるとともに、電力消費量を低減することができる施解錠検出装置を提供することにある。
【００１０】
【課題を解決するための手段】
上記の課題を解決するために、請求項１に記載の発明では、施錠装置の近傍に設けられ、その施錠装置の施解錠状態を検出する検出手段と、同施錠装置が施錠状態にあるときに作動してその施錠状態にある旨を点灯により表示する表示手段と、周辺の光度を検知する光検知手段と、屋内外における周辺の所定領域内の人の存在有無を検知する人検知手段と、前記施錠装置が施錠状態にあり、且つ前記光検知手段からの検知信号に基づき、周辺の光度が所定の光度以下であり、且つ前記人検知手段からの検知信号に基づき、前記所定領域内に人が存在しているときに前記表示手段を作動させる作動制御手段とを備えることを要旨とする。
【００１１】
請求項２に記載の発明では、施錠装置の近傍に設けられ、その施錠装置の施解錠状態を検出する検出手段と、同施錠装置が施錠状態にあるときに作動してその施錠状態にある旨を点灯により表示する表示手段と、屋内外における周辺の所定領域内の人の存在有無を検知する人検知手段と、前記施錠装置が施錠状態にあり、且つ予め設定された開始時刻から終了時刻までの間にあり、且つ前記人検知手段からの検知信号に基づき、前記所定領域内に人が存在しているときに前記表示手段を作動させる作動制御手段とを備えることを要旨とする。
【００１３】
以下、本発明の「作用」について説明する。
請求項１に記載の発明によると、施錠装置が施錠状態にあり、且つ施解錠検出装置の周辺が暗く、且つ施解錠検出装置に人が近づいたときにのみ表示手段が作動する。このため、夜間等には、表示手段の作動・非作動状態によって施錠装置の施解錠状態を容易且つ確実に認識可能となる。また、昼間など施解錠検出装置の周辺が明るいときには表示手段は作動しないため、施解錠検出装置の電力消費量を低減することができる。
しかも、施解錠検出装置に人が近づいたときのみに表示手段が作動するため、施解錠検出装置の電力消費量をより低減することができる。
【００１４】
請求項２に記載の発明によると、所定の開始時刻から終了時刻までの間において施錠装置が施錠状態にあり、且つ施解錠検出装置に人が近づいたときにのみ表示手段が作動するようになっている。このため、例えば開始時刻を夕方の時刻、終了時刻を明け方の時刻に設定すれば、施解錠検出装置の周辺が暗いときにのみ表示手段を作動させることが可能となり、上記請求項１と同様の作用を奏する。
【００１５】
しかも、施解錠検出装置に人が近づいたときのみに表示手段が作動するため、施解錠検出装置の電力消費量をより低減することができる。
【００１６】
【発明の実施の形態】
以下、本発明を、住宅用窓を施解錠するクレセント錠の施解錠状態監視装置に具体化した一実施形態を図１〜図４に基づき詳細に説明する。
【００１７】
図１に示すように、施解錠状態監視装置１は、施解錠検出装置２と、その施解錠検出装置２と無線による相互通信が可能なモニタ装置３とを備えている。
施解錠検出装置２は略直方体形状をなし、セットスイッチ１１、第１リードスイッチ１２、第２リードスイッチ１３、作動制御手段としてのマイクロコンピュータ（マイコン）１４、リードオンリメモリ（ＲＯＭ）１５、送受信回路１６、バッテリ１７、表示手段としての表示器１８、光検知手段としての光センサ３１及び人検知手段としての人検知センサ３２を備えている。また、図２に示すように、施解錠検出装置２は、正面視で略長方形状をなしている。
【００１８】
図２に示すように、セットスイッチ１１は、施解錠検出装置２の略中央に設けられた押しボタンスイッチである。
第１リードスイッチ１２及び第２リードスイッチ１３は、施解錠検出装置２の下端付近に配設されている。これらリードスイッチ１２，１３は、互いに近接して配設されている。本実施形態において、各リードスイッチ１２，１３は、図２（ａ）に示す施解錠検出装置２の中心線Ｏに対して左右対称となる位置に配設されている。詳しくは、各リードスイッチ１２，１３は、後記する引き違い式窓４の外障子６に第１リードスイッチ１２が近接し、同外障子６から第２リードスイッチ１３が離間する態様で、水平に並んだ状態となるように配設されている。
【００１９】
送受信回路１６は、マイコン１４から入力された登録信号、施解錠信号または警告信号を変調し、その変調信号を送信信号としてアンテナ１６ａから出力するとともに、モニタ装置３からの送信信号を復調してマイコン１４に対して出力する。
【００２０】
バッテリ１７は、図２に破線で示すように２本の乾電池によって構成され、マイコン１４及び送受信回路１６に対して電力を供給する。
表示器１８は、図２に破線で示すように、施解錠検出装置２の略中央に内蔵されたＬＥＤによって構成されている。この表示器１８は、マイコン１４からの出力信号に基づいて点灯するようになっている。
【００２１】
光センサ３１は、施解錠検出装置２において表示器１８の光を検知しにくい箇所に配設され、本実施形態では、図２に示すように施解錠検出装置２の側面に露出した状態で配設されている。この光センサ３１は、施解錠検出装置２の周辺の光度を検知し、その光度が所定の光度を超えているときにＨ（Ｌ）レベルの検知信号をマイコン１４に対して出力する。また、光センサ３１は、施解錠検出装置２の周辺の光度が所定の光度以下であるときにはＬ（Ｈ）レベルの検知信号をマイコン１４に対して出力する。
【００２２】
図２に示すように、人検知センサ３２は焦電センサ等によって構成され、セットスイッチ１１の側方に配設されている。そして、この人検知センサ３２は、図４に示す施解錠検出装置２の周辺の所定領域Ａ１内に人が侵入したときにその旨を示す検知信号をマイコン１４に対して出力する。
【００２３】
マイコン１４は、ＲＯＭ１５に格納された制御アルゴリズムに基づいて処理を行うＣＰＵユニットである。このマイコン１４は、セットスイッチ１１の操作や、各リードスイッチ１２，１３からの検出信号や、光センサ３１及び人検知センサ３２からの検知信号に基づき、送受信回路１６や表示器１８に対して所定の信号を出力する。詳しくは、マイコン１４は、セットスイッチ１１が操作されたときに、送受信回路１６に対して登録信号を出力する。また、マイコン１４は、各リードスイッチ１２，１３からの検出信号に基づき、送受信回路１６に対して施解錠信号または警告信号を出力する。さらに、マイコン１４は、各リードスイッチ１２，１３からの検出信号、光センサ３１及び人検知センサ３２からの検知信号に基づき、表示器１８に対して作動信号を出力する。
【００２４】
このように構成された施解錠検出装置２は、図３に示すように、引き違い式窓４に配設されている。引き違い式窓４はそれぞれスライド開閉可能な内障子５と外障子６とによって構成されている。内障子５の側面（召合せ框）５ａには、施錠装置としてのクレセント錠７が配設されている。このクレセント錠７は、図２（ａ）に示す軸心Ｃを中心に矢印Ｆ方向に回動可能な施錠レバー７ａと、その施錠レバー７ａと連動するフック部７ｂとを備えている。外障子６の召合せ框には図示しない嵌合部が形成されており、フック部７ｂと嵌合部とが嵌合することによって窓４が施錠される。なお、本実施形態では、施錠レバー７ａが図２（ａ）に示す位置でフック部７ｂと嵌合部とが嵌合するようになっている。
【００２５】
そして、施解錠検出装置２は、内障子５の側面５ａにおいて、クレセント錠７の上方に配設されている。詳しくは、施解錠検出装置２は、クレセント錠７の上方において、施錠レバー７ａが施錠位置にあるときに第１リードスイッチ１２と施錠レバー７ａとが対面する位置に配設されている。
【００２６】
施錠レバー７ａ内には磁石８が設けられており、施錠レバー７ａが施錠位置にあるときには、磁石８と第１リードスイッチ１２とが対面した状態で近接するようになっている。このため、第１リードスイッチ１２は、クレセント錠７の施錠状態においてＯＮ状態となり、クレセント錠７の解錠状態でＯＦＦ状態となる。
【００２７】
また、クレセント錠７の施錠状態において、第２リードスイッチ１３はＯＦＦ状態となっている。換言すれば、第２リードスイッチ１３は、クレセント錠７の施錠状態においてＯＮ状態とならない程度に第１リードスイッチ１２に近接配置されている。より詳しくは、第２リードスイッチ１３は、磁石８の回動軌跡上に位置するように配設されている。このため、施錠レバー７ａを施錠位置から解錠位置に回動させると、第１リードスイッチ１２がＯＮ状態からＯＦＦ状態に切り替わった後に、第２リードスイッチ１３が瞬間的にＯＮ状態となる。また、施錠レバー７ａを解錠位置から施錠位置に回動させると、第２リードスイッチ１３が瞬間的にＯＮ状態になった後に、第１リードスイッチ１２がＯＦＦ状態からＯＮ状態に切り替わる。
【００２８】
そして、マイコン１４は、第１リードスイッチ１２がＯＮ状態、かつ第２リードスイッチ１３がＯＦＦ状態のときに、クレセント錠７が施錠している旨を示す前記施解錠信号を送受信回路１６に出力する。また、マイコン１４は、第１リードスイッチ１２がＯＦＦ状態、かつ第２リードスイッチ１３がＯＦＦ状態のときに、クレセント錠７が解錠している旨を示す施解錠信号を送受信回路１６に出力する。送受信回路１６は、こうした施解錠信号を送信信号としてモニタ装置３に送信する。すなわち、施解錠検出装置２は、第１リードスイッチ１２のＯＮ状態及びＯＦＦ状態によってクレセント錠７の施解錠状態を検出する。よって、本実施形態において、第１リードスイッチ１２は、クレセント錠７の施解錠状態を検出する検出手段及び施解錠検出手段として機能する。なお、本実施形態において、マイコン１４は、第１リードスイッチ１２がＯＦＦ状態からＯＮ状態に切り替わったとき、及びＯＮ状態からＯＦＦ状態に切り替わったときに施解錠信号を出力するようになっている。
【００２９】
さらに、マイコン１４は、第１リードスイッチ１２と第２リードスイッチ１３とが共にＯＮ状態となったときに、前記警告信号を送受信回路１６に出力する。送受信回路１６は、この警告信号を送信信号としてモニタ装置３に送信する。すなわち、通常の状態において、両リードスイッチ１２，１３が共にＯＮ状態となることはないため、両スイッチ１２，１３が共にＯＮ状態となったときには、施解錠検出装置２は、クレセント錠７が不正操作されたものとして警告信号を出力する。よって、本実施形態において、第２リードスイッチ１３は、異常検出手段として機能する。なお、送信信号には、各リードスイッチ１２，１３の動作状態に加え、施解錠検出装置２のＩＤコード、施解錠検出装置２の電源電圧などの動作状態が含まれている。
【００３０】
また、マイコン１４は、光センサ３１からの検知信号のレベルから、施解錠検出装置２の周辺の光度が所定の光度以下であるか否かを判断する。また、マイコン１４は、人検知センサ３２からの検知信号に基づき、所定領域Ａ１内に人が存在しているか否かを判断する。そして、マイコン１４は、施解錠検出装置２の周辺の光度が所定の光度以下であり、且つ前記所定領域Ａ１内に人の存在を検知した状態で、クレセント錠７が施錠していると判断したときには、表示器１８に対して作動信号を出力する。換言すれば、マイコン１４は、施解錠検出装置２の周辺が暗いこと、同施解錠検出装置２に人が近接したこと、クレセント錠７が施錠状態であることの全ての条件が一致したときに表示器１８を作動させる。よって、これらのうちの一つでも条件を満たしていないときには表示器１８は作動しないようになっている。なお、本実施形態において表示器１８は、作動信号が入力されると、緑色点灯するようになっている。
【００３１】
一方、図１に示すように、モニタ装置３は、送受信回路２１、マイコン２２、ＲＯＭ２３、登録スイッチ２４、警戒スイッチ２５、リセットスイッチ２６、電源回路２７、バックアップ電池２８、表示部２９及び警報手段としての警報部３０を備えている。
【００３２】
送受信回路２１は、マイコン２２から入力された信号を変調し、その変調信号を送信信号としてアンテナ２１ａから出力するとともに、前記施解錠検出装置２からの送信信号を復調してマイコン２２に入力する。
【００３３】
マイコン２２には、登録スイッチ２４、警戒スイッチ２５及びリセットスイッチ２６が電気的に接続されている。マイコン２２は、 ＲＯＭ２３に格納された制御アルゴリズムに基づいて、所定の処理を行う。詳しくは、マイコン２２は、これらスイッチ２４〜２６の操作によって、登録モード、警戒モード、監視モードのうちのいずれかに切り替わり、各モード毎にそれぞれ個別の処理を行う。そして、マイコン２２は、各モードに切り替わった旨を示す応答信号を送受信回路２１に出力する。すなわち、モニタ装置３は、施解錠検出装置２に対してアンサーバックする。
【００３４】
電源回路２７及びバックアップ電池２８は、送受信回路２１及びマイコン２２に対して電力を供給する。
表示部２９は、ＬＥＤなどの発光素子によって構成され、マイコン２２からの出力信号に基づいて点灯する。本実施形態においてこの表示部２９は、２色発光ダイオードによって構成されている。
【００３５】
警報部３０は、例えばブザーやスピーカによって構成され、マイコン２２からの作動信号に基づいて動作する。
このように構成されたモニタ装置３において、マイコン２２は、通常監視モードにあり、登録スイッチ２４が操作されたときに登録モードに切り替わり、再び登録スイッチ２４が操作されると監視モードに復帰する。また、マイコン２２は、警戒スイッチ２５が操作されたときに警戒モードに切り替わり、リセットスイッチ２６が操作されたときに警戒モードから監視モードに復帰する。
【００３６】
監視モードにおいてマイコン２２は、施解錠検出装置２からの施解錠信号に基づいて、クレセント錠７の施錠状態または解錠状態を表示部２９に表示する。本実施形態においてこの表示部２９は、施錠状態で緑色点灯、解錠状態で赤色点灯するように設定されている。
【００３７】
登録モードにおいてマイコン２２は、施解錠検出装置２の登録を可能な状態となる。この登録モードにおいてマイコン２２は、施解錠検出装置２からの送信信号によって施解錠検出装置２のセットスイッチ１１が操作されたことを検出すると、施解錠検出装置２を監視対象として登録する。
【００３８】
警戒モードにおいてマイコン２２は、施解錠検出装置２からの登録信号または施解錠信号が入力されたときに、警報部３０に対して作動信号を出力する。これにより、警報部３０から警報音が発せられる。すなわち、警戒モードにおいてマイコン２２は、施解錠検出装置２のセットスイッチ１１が操作されたとき、クレセント錠７が施解錠されたときに警報部３０を動作させるように設定されている。
【００３９】
また、各モードにおいて、マイコン２２は、施解錠検出装置２からの警告信号が入力されたときにも、警報部３０に対して作動信号を出力して警報部３０を動作させる。すなわち、モニタ装置３は、施解錠検出装置２が不正操作を検出したときに警報部３０を動作させる。
【００４０】
したがって、本実施形態によれば以下のような効果を得ることができる。
（１）クレセント錠７が施錠状態にあり、且つ施解錠検出装置２の周辺の光度が所定の光度以下であるときには、表示器１８が点灯するようになっている。このため、夜間等には、表示器１８の点灯を確認することによってクレセント錠７の施解錠状態を容易且つ確実に認識することができる。また、昼間など施解錠検出装置２の周辺が明るいときには表示器１８は点灯しないため、施解錠検出装置２の電力消費量を低減することができる。なお、昼間など施解錠検出装置２の周辺が明るいときには、クレセント錠７を目視することによって同クレセント錠７の施解錠状態を容易且つ確実に認識することができるため、不都合は生じない。
【００４１】
（２）しかも、表示器１８は、クレセント錠７が施錠状態にあり、且つ施解錠検出装置２の周辺の光度が所定の光度以下である状態に加え、施解錠検出装置２の周辺の所定領域Ａ１内に人が侵入したときのみに点灯する。このため、表示器１８の不要な点灯を防止することができ、施解錠検出装置２の電力消費量をより低減することができる。
【００４２】
（３）また、表示器１８を点灯させることにより、クレセント錠７の施解錠状態が監視されている旨を示すことができ、クレセント錠７に対する不正な施解錠操作を未然に防ぐことができる。すなわち、表示器１８を点灯させることにより、威嚇動作を行わせることができ、防犯性をより向上させることができる。
【００４３】
（４）施解錠検出装置２には２つのリードスイッチ１２，１３が設けられ、これらスイッチ１２，１３が共にＯＮ状態となったときには、登録モード、警戒モード、監視モードのいずれの場合であってもモニタ装置３から警報音が発せられる。第１及び第２リードスイッチ１２，１３は互いに近接して配設されているため、例えば別部材からなる磁石を第１リードスイッチ１２付近に近接させると、両リードスイッチ１２，１３が共にＯＮ状態となる。よって、磁石を第１リードスイッチ１２付近に近接させた状態でクレセント錠７を解錠し、同磁石によって第１リードスイッチ１２のＯＮ状態を維持させたままにするような不正解錠操作を行った場合には、モニタ装置３から警報を発せさせることができる。したがって、不正解錠操作に対する防犯性を向上させることができる。
【００４４】
なお、本発明の実施形態は以下のように変更してもよい。
・  前記実施形態では、施解錠検出装置２に光センサ３１を設け、施解錠検出装置２の周辺の光度に基づいて表示器１８の作動が制御されるようになっている。しかし、この光センサ３１を省略するとともに、マイコン１４にタイマを設け、所定の開始時刻から終了時刻までの間にのみ表示器１８を作動させるようにしてもよい。すなわちこうした場合、表示器１８は、所定の開始時刻から終了時刻までの間に、クレセント錠７が施錠状態にあり、且つ所定領域Ａ１内に人が侵入したときにのみ点灯するようになる。このため、例えば開始時刻を夕方の時刻、終了時刻を明け方の時刻に設定すれば、施解錠検出装置２の周辺が暗いときにのみ表示手段を作動させることが可能となり、上記（１）に記載の効果と同等の効果を得ることができる。
【００４５】
また、こうした場合、タイマはマイコン１４に必ずしも設けられている必要はない。例えば、モニタ装置３にタイマを設け、所定の開始時刻または終了時刻になったときに、その旨を示す無線信号をモニタ装置３から施解錠検出装置２に対して出力させるようにしてもよい。そして、マイコン１４は、その無線信号に従って表示器１８の作動制御を行うようになっていてもよい。このようにすれば、施解錠検出装置２の部品点数を減らすことができる。
【００４６】
・  前記実施形態では、施解錠検出装置２に人検知センサ３２を設け、クレセント錠７が施錠状態にあり、且つ周辺が暗い状態で、所定領域Ａ１内に人が侵入したときにのみ表示器１８を作動させるようになっている。しかし、この人検知センサ３２を省略して表示器１８の作動条件を減らしてもよい。すなわち、クレセント錠７が施錠状態にあり、且つ周辺が暗いときに表示器１８を作動させるようにしてもよい。
【００４７】
・  前記実施形態では、表示器１８は、クレセント錠７が施錠状態にあるときにのみ点灯するようになっている。しかし、表示器１８は、クレセント錠７が解錠状態にあるときにも点灯するようになっていてもよい。但し、この場合には、解錠状態における表示器１８の点灯色を赤色等にして、施錠状態での点灯色と区別したり、点滅させたりするなどして施錠状態と解錠状態とで点灯態様を区別することが望ましい。
【００４８】
・  前記実施形態において表示器１８は、ＬＥＤによって構成されている。しかし、表示器１８は、例えばＥＬ（エレクトロルミネッセンス）素子や、電球などの発光素子によって構成されてもよい。
【００４９】
・  前記実施形態では、モニタ装置３の監視モード、警戒モードにかかわらず、表示器１８は作動するようになっている。しかし、表示器１８は、モニタ装置３が監視モード、警戒モードのうちのどちらか一方のモードとなっているときにのみ作動するようになっていてもよい。
【００５０】
・  前記実施形態において施解錠検出装置２は送受信回路１６を備え、モニタ装置３は送受信回路２１を備えている。しかし、送受信回路１６を送信回路に変更するとともに、送受信回路２１を受信回路に変更してもよい。すなわち、施解錠検出装置２からモニタ装置３に対してのみに通信を行う単方向通信となっていてもよい。
【００５１】
・  前記実施形態において施解錠検出装置２は、送受信回路１６を備え、モニタ装置３と相互通信可能となっている。しかし、送受信回路１６を省略し、施解錠検出装置２をモニタ装置３と相互通信不能としてもよい。そして、モニタ装置３を省略して、単にクレセント錠７の施解錠状態を検出してその旨を表示器１８によって表示する装置として用いてもよい。すなわち、施解錠検出装置２を、施解錠状態監視装置１の構成要素としてではなく、単体で用いてもよい。
【００５２】
・  前記実施形態では、施錠装置としてクレセント錠７を用いている。しかし、施錠装置はクレセント錠７に限らず、例えば押し開きの窓や玄関ドア等の建物用の施錠装置や、車両ドアの施錠装置などに具体化されてもよい。すなわち、施解錠検出装置２は、押し開きの窓や玄関ドア等の建物用の施錠装置や、車両ドアの施錠装置の近辺に配設されてもよい。
【００５３】
・  第１及び第２リードスイッチ１２，１３を、例えば磁気抵抗素子などの他の磁気センサに変更してもよい。また、磁気センサに限らず、例えば赤外線センサなどの近接センサに変更してもよい。
【００５４】
・  前記実施形態において第１及び第２リードスイッチ１２，１３は、施解錠検出装置２の中心線Ｏに対して左右対称となるように配設されている。しかし、各リードスイッチ１２，１３は、こうした左右対称の配設位置に限らず、水平に並んだ状態であればどのように配設されてもよい。また、各リードスイッチ１２，１３は、上下に並んだ状態に配設されてもよい。
【００５５】
・  前記実施形態では、第１リードスイッチ１２の動作状態のみによってクレセント錠７の施解錠状態を検出するようにしている。しかし、クレセント錠７の施解錠時には、第２リードスイッチ１３も瞬間的にＯＮ状態となるため、各リードスイッチ１２，１３の変化に基づいてクレセント錠７の施解錠状態を検出するようにしてもよい。すなわち、第１リードスイッチ１２がＯＦＦ状態となった後に第２リードスイッチ１３が瞬間的にＯＮ状態となったときに、施解錠検出装置２から解錠の旨の施解錠信号を出力させる。そして、第２リードスイッチ１３が瞬間的にＯＮ状態となった後に第１リードスイッチ１２がＯＮ状態となったときに、施解錠検出装置２から施錠の旨の施解錠信号を出力させる。
【００５６】
次に、特許請求の範囲に記載された技術的思想のほかに、前述した実施形態によって把握される技術的思想を以下に列挙する。
（１）  施錠装置の近傍に設けられ、前記施錠装置の施解錠状態を検出する施解錠検出装置と、その施解錠検出装置と通信を行い、前記施解錠検出装置によって検出された前記施錠装置の施解錠状態を監視するモニタ装置とを備えた施錠装置の施解錠状態監視装置において、前記施解錠検出装置は、前記施錠装置の施解錠状態を検出する検出手段と、同施錠装置が少なくとも施錠状態にあるときに作動してその旨を表示する表示手段と、周辺の光度を検知する光検知手段と、前記光検知手段からの検知信号に基づき、周辺の光度が所定の光度以下となったときに前記表示手段を作動させる作動制御手段とを備えること。
【００５７】
（２）  技術的思想（１）に記載の施錠装置の施解錠状態監視装置において、前記施錠装置は、施錠状態と解錠状態とで位置が変化する可動部と、その可動部に設けられた磁石とからなる被検出部を備え、前記施解錠検出装置は、前記被検出部の検出の有無によって前記施錠装置の施解錠状態を検出する施解錠検出手段と、その施解錠検出手段の近傍に設けられた少なくとも１つの異常検出手段とからなる磁気センサを備え、前記モニタ装置は、前記施解錠検出手段と前記異常検出手段のうちの少なくとも１つとが同時に検出信号を出力していることを条件として作動を開始する警報手段を備えていること。
【００５８】
【発明の効果】
以上詳述したように、請求項１又は請求項２に記載の発明によれば、施錠装置の施解錠状態を容易かつ確実に認識することができるとともに、施解錠検出装置の電力消費量を低減することができる。
【００５９】
また、施解錠検出装置の電力消費量をより低減することができる。
【図面の簡単な説明】
【図１】本発明を住宅用窓を施解錠するクレセント錠の施解錠状態監視装置に具体化した一実施形態の概略構成を示すブロック図。
【図２】（ａ）は同実施形態の施解錠検出装置の正面図、（ｂ）は同施解錠検出装置の側面図。
【図３】同実施形態の施解錠検出装置の配設状態を示す斜視図。
【図４】同実施形態に用いられる窓の概略平面図。
【符号の説明】
１…施解錠状態監視装置、２…施解錠検出装置、３…モニタ装置、７…施錠装置としてのクレセント錠、１２…検出手段としての第１リードスイッチ、１４…作動制御手段としてのマイクロコンピュータ（マイコン）、１８…表示手段としての表示器、３１…光検知手段としての光センサ、３２…人検知手段としての人検知センサ。
【図１】
0004477812.tif 000002
【図２】
0004477812.tif 000003
【図３】
0004477812.tif 000004
【図４】
0004477812.tif 000005